(57)【要約】      （修正有）【課題】移動体での実際使用環境において、アンテナ収納ボックス内での同軸ケーブルの収納性を高めることが可能な同軸ケーブル取付手段を備えた移動体用アンテナを提供すること。また、該アンテナに好適な同軸ケーブルとの接続方法を提供すること。【解決手段】アンテナ単体の主要部は、回路基板１０と、接地導体１１と、誘電体１２と、放射素子１３と、マイクロストリップライン１５と、給電ピン１７と、取付金具３１とを備えて構成される。取付金具３１は、放射素子１３の表面が電波の方向に向けられた状態で同軸ケーブル２０を水平方向または略水平方向に延長することができるように、同軸ケーブル２０の外導体２２を保持する。【選択図】図１
2006311469.tif 000002
【特許請求の範囲】
【請求項１】
給電用回路が設けられた回路基板と、該回路基板上に固定され前記給電用回路を介して給電されるアンテナ素子を備えたアンテナであって、
前記給電電極に接続される給電用同軸ケ−ブルが、前記回路基板上の接地導体と電気的に接続されている台座を介して、前記給電電極に対して平行でない所定の角度をもって回路基板上に固定されている、
ことを特徴とする小型アンテナ。
【請求項２】
前記給電電極は、前記回路基板の前記放射素子と対向する面の反対側の面に設けられている、
ことを特徴とする請求項１に記載の小型アンテナ。
【請求項３】
前記給電用同軸ケ−ブルの外導体と前記回路基板上の接地導体が前記台座を介して電気的に接続されている、
ことを特徴とする請求項１または請求項２に記載の小型アンテナ。
【請求項４】
前記給電用同軸ケ−ブルの前記台座に固定されている部分の中心軸と、前記台座と前記給電電極の間に位置する前記給電用同軸ケ−ブルの中心導体の中心軸が略同一である、
ことを特徴とする請求項１から請求項３の何れか１項に記載の小型アンテナ。
【請求項５】
前記給電電極に表面がメタライズされた凹部を備え、
前記凹部に前記中心導体の先端部分が挿入されている、
ことを特徴とする請求項１から請求項４の何れか１項に記載の小型アンテナ。
【請求項６】
前記凹部が前記回路基板を貫通するスル−ホ−ルである、
ことを特徴とする請求項５に記載の小型アンテナ。
【請求項７】
前記給電電極がマイクロストリップラインによって構成されている、
ことを特徴とする請求項１から請求項６の何れか１項に記載の小型アンテナ。
【請求項８】
前記中心導体の先端部分が、前記マイクロストリップラインに備えられた前記スルーホールに挿入され、
前期スルーホール表面の穴がふさがれるよう半田付けされる
ことを特徴とするマイクロストリップラインとケーブルとの接続方法。
【請求項９】
前記半田付けに使用される半田量が、前記スルーホールの空洞部の体積に対し１５０vol％以上である
ことを特徴とする請求項８に記載のマイクロストリップラインとケーブルとの接続方法。
【請求項１０】
前記スルーホールの断面形状が、円形または楕円形である
ことを特徴とする請求項８または請求項９に記載のマイクロストリップラインとケーブルとの接続方法。
【請求項１１】
前記スルーホールの断面の長軸が、前記中心導体の中心軸と略同一方向である
ことを特徴とする請求項１０に記載のマイクロストリップラインとケーブルとの接続方法。
【請求項１２】
前記スルーホールの断面形状が、短径と長径との比が略１：３の楕円形である
ことを特徴とする請求項１０に記載のマイクロストリップラインとケーブルとの接続方法。
【請求項１３】
前記スルーホールの断面の直径は、前記中心導体の直径よりも大きい
ことを特徴とする請求項８から請求項１２のいずれか１項に記載のマイクロストリップラインとケーブルとの接続方法。
【請求項１４】
前記中心導体は、前記スルーホールの壁面まで挿入されて半田付けされる
ことを特徴とする請求項８から請求項１３のいずれか１項に記載のマイクロストリップラインとケーブルとの接続方法。
【請求項１５】
高周波信号が導通されるマイクロストリップラインと同軸ケーブルとの接続方法に適用される
ことを特徴とする請求項８から請求項１４のいずれか１項に記載のマイクロストリップラインとケーブルとの接続方法。
【発明の詳細な説明】
【技術分野】
【０００１】
本発明は小型アンテナに関し、特に取付スペ−スの余裕のない場合に好適な小型アンテナに関するものである。
また本発明は、小型アンテナを外部機器と接続するためのマイクロストリップラインとケーブルとの接続方法に関するものである。
【背景技術】
【０００２】
近年、移動体に積載されて使用される情報機器として、例えば、ＧＰＳ（衛星測位システム；Global Positioning System ）や、主要な道路の渋滞状況や工事情報等を知らせるＶＩＣＳ（道路交通情報通信システム；Vehicle Information and Communication System）等を利用するカーナビゲーション装置が普及している。また、最近は、有料道路におけるＥＴＣ（自動料金収受システム；Electronic Toll Collection System ）を利用した料金自動支払システムが開発されている。更には、車載電話システムとＧＰＳとを利用して事故発生時等に災害救助信号を自動発信する緊急通信システムも実用化されている。
【０００３】
これらの車載用情報機器が備えるアンテナは、車載であるという場所的な制限から、周波数帯域が異なった複数の平面アンテナが統合されて使用される。
このような事例としては、例えば、１枚の誘電体基板上にＧＰＳ用アンテナ及びＶＩＣＳ用アンテナの各アンテナエレメントを並べて配置し、これらの各アンテナエレメントの給電ピンを１本の伝送線に接続することでコンパクト化を図るものがある（例えば、特許文献１参照。）。
【０００４】
また、ＧＰＳ用アンテナ及びＶＩＣＳ用アンテナに加えて、ＥＴＣ用アンテナまで含めて統合し、コンパクト化を実現するものも考案されている。（例えば、特許文献２参照。）。
【０００５】
ところで、これらのアンテナには小型化が容易であるという利点から誘電体基板上に放射電極を配置したものが使用されることがある。特に、ＧＰＳ用アンテナやＥＴＣ用アンテナについては円偏波の電波を送受信することから、誘電体基板上に面状の放射電極を配置した平面パッチアンテナが使用される場合が多い。また、ＶＩＣＳ用アンテナについても小型化を考慮して、誘電体基板上に面状の放射電極を配置した平面パッチアンテナが用いられる場合がある。
【０００６】
誘電体基板上に面状の放射電極を配置した平面パッチアンテナの構造として従来は図３に示すような構造が多く用いられている。
図３は、従来の平面パッチアンテナを側面から見た構造を示す断面図である。
【０００７】
図３に示す平面パッチアンテナは、まず、アンテナ単体として、回路基板１１０と、回路基板１１０の表面上に形成された接地導体１１１と、接地導体１１１の表面上に積層された誘電体１１２と、誘電体１１２の表面上に形成された放射素子１１３と、誘電体１１２を垂直に貫通するスルーホール１１４と、スルーホール１１４の直下の回路基板１１０の一部に形成されたマイクロストリップライン１１５と、放射素子１１３とマイクロストリップライン１１５とを電気的に接続する給電ピン１１７と、を備えて構成される。
【０００８】
また、伝送ケーブルとして、同軸ケーブル１２０を接続する。
高周波で用いられる小型アンテナでは、該小型アンテナの信号線路となるマイクロストリップライン１１５と他の機器へ接続するための同軸ケーブル１２０との接続加工にあたって、該小型アンテナの高周波特性に悪影響を与えない接続方法を採用する必要がある。
【０００９】
同軸ケーブル１２０は、マイクロストリップライン１１５と電気的に接続された中心導体１２１と、接地導体１１１と電気的に接続された外導体１２２（シールド線）と、外導体１２２を被覆する被覆１２３を備える。接地導体１１１と電気的に接続された接地導体１１８を回路基板１１０のマイクロストリップライン１１５と同じ面に設け、これと外導体１２２を半田付部１２９を介して固定することによって、接地導体１１１と外導体１２２の間のインピ−ダンスを極力抑えるようになっている。
【００１０】
上記の通り、小型アンテナと同軸ケーブルとの接続は、一般的にはマイクロストリップライン上に同軸ケーブルの中心導体を半田付けする方法がとられるが、この場合、中心導体を半田で完全に覆うことで正確な高周波的接続が実現できる。
【特許文献１】特開平９−１３９６２５号公報
【特許文献２】特開２００２−３１４３３１号公報
【発明の開示】
【発明が解決しようとする課題】
【００１１】
ところで、上記背景技術で述べた従来の小型アンテナにあっては、車載等を目的としたコンパクトな収納ボックス内への収納が容易ではないという問題点があった。
即ち、収納ボックスがコンパクトなものの場合、ボックス内での給電用同軸ケ−ブルを配策するためのスペ−スが限定されるため、特にアンテナ近傍において小さい曲げ半径で曲げることが必要になる場合がある。
【００１２】
従来の回路基板と同軸ケ−ブルの固定方法では、回路基板１１０平面と平行な方向にはある程度の自由度があるが、垂直な方向は同軸ケ−ブル１２０の外導体１２２を接地導体に密接して固定するため、自由度がない。そのため、アンテナ近傍に収納ボックスの内壁１３０等の存在により、同軸ケ−ブルを回路基板１１０平面に対して垂直な成分を含む方向に曲げる場合には曲げ角度が大きくなり、その結果として極端に小さい曲げ半径になる場合が生じる。ところが同軸ケ−ブルをある程度以下の曲げ半径で曲げると、分布定数線路としての均一性に乱れが生じて、Ｓ／Ｎ比の劣化を招くことがある。
【００１３】
また、マイクロストリップラインと同軸ケーブルの中心導体との接続加工においても、中心導体の接続状態が不適切であったり、半田付けに用いる半田量が不足していた場合には、小型アンテナの高周波特性に悪影響を与える恐れがある。
【００１４】
このように、マイクロストリップラインと同軸ケーブルとの接続部の状態や半田付けに用いる半田量等といった接続加工条件が明確に規定されていないため、接続加工条件によって小型アンテナの高周波特性が変動してしまうといった課題がある。
【００１５】
本発明は、上記従来の問題点に鑑みてなされたものであって、特に小型アンテナの同軸ケ−ブル固定部近傍にて同軸ケ−ブルを回路基板に対して垂直な方向に曲げる場合に、ある程度以上の曲げ半径を確保することができる小型アンテナを提供することを目的としている。
また、マイクロストリップラインとケーブルとの接続加工に関して、小型アンテナの高周波特性に悪影響を与えない接続加工条件を提供することを目的とする。
【課題を解決するための手段】
【００１６】
上述した問題点を解決するために、この発明の小型アンテナの第１の態様は、給電用回路が設けられた回路基板と、該回路基板上に固定され前記給電用回路を介して給電されるアンテナ素子を備えたアンテナにおいて、前記給電電極に接続される給電用同軸ケ−ブルが、前記回路基板上の接地導体と電気的に接続されている台座を介して、前記給電電極に対して平行でない所定の角度をもって回路基板上に固定されている、ことを特徴とする小型アンテナである。
【００１７】
このように構成することにより、同軸ケ−ブルが所望の曲げ方向に向かって予めある程度の角度をもって固定されているため、アンテナ近傍で同軸ケ−ブルを曲げる場合でもある程度以上の曲げ半径を確保することができる。
【００１８】
この発明の小型アンテナの第２の態様は、前記給電電極は、前記回路基板の前記アンテナ素子と対向する面の反対側の面に設けられていることを特徴とする小型アンテナである。
【００１９】
このように構成することにより、同軸ケ−ブルがアンテナの放射特性に影響を与えることを防ぐことができる。
【００２０】
この発明の小型アンテナの第３の態様は、前記給電用同軸ケ−ブルの外導体と前記回路基板上の接地導体が前記台座を介して電気的に接続されていることを特徴とする小型アンテナである。
【００２１】
このように構成することにより、同軸ケ−ブルを回路基板平面に対して所定の角度をもって固定することができるとともに、台座を介して同軸ケ−ブルの外導体と回路基板の接地導体を電気的に接続することができ、別体の接続手段を設ける必要が無い。
【００２２】
この発明の小型アンテナの第４の態様は、前記給電用同軸ケ−ブルの前記台座に固定されている部分の中心軸と、前記台座と前記給電電極の間に位置する前記給電用同軸ケ−ブルの中心導体の中心軸が略同一であることを特徴とする小型アンテナである。
【００２３】
このように構成することにより、同軸ケ−ブルの中心導体が曲げ応力が残った状態で給電電極と接続されるおそれが無くなるため、接続部の信頼性が向上する。
【００２４】
この発明の小型アンテナの第５の態様は、前記給電電極に表面がメタライズされた凹部を備え、前記凹部に前記中心導体の先端部分が挿入されていることを特徴とする小型アンテナである。
【００２５】
このように構成することにより、同軸ケ−ブルの中心導体が給電電極に対して角度を有する構成であっても、中心導体と半田との間に充分な接触面積を確保することができ、中心導体と給電電極の接続部の信頼性を向上させることができる。
【００２６】
この発明の小型アンテナの第６の態様は、前記凹部が前記回路基板を貫通するスル−ホ−ルであることを特徴とする小型アンテナである。
【００２７】
このように構成することにより、容易に凹部を形成することができる。
【００２８】
この発明の小型アンテナの第７の態様は、前記給電電極がマイクロストリップラインによって構成されていることを特徴とする小型アンテナである。
【００２９】
このように構成することにより、同軸ケ−ブルの中心導体と給電電極の接続部を給電ピンから離れた位置に配置することができるため、設計の自由度を増すことができる。
【００３０】
この発明のマイクロストリップラインとケーブルとの接続方法の第１の態様は、前記中心導体の先端部分が、前記マイクロストリップラインに備えられた前記スルーホールに挿入され、前期スルーホール表面の穴がふさがれるよう半田付けされることを特徴とするマイクロストリップラインとケーブルとの接続方法である。
【００３１】
このような方法により、前記中心導体を前記マイクロストリップラインに確実に接続することができる。
【００３２】
この発明のマイクロストリップラインとケーブルとの接続方法の第２の態様は、前記半田付けに使用される半田量が、前記スルーホールの空洞部の体積に対し１５０vol％以上であることを特徴とするマイクロストリップラインとケーブルとの接続方法である。
【００３３】
このような方法により、安定した半田付けが行えるだけでなく、半田付けに使用される半田量の過不足を無くすことができる。
【００３４】
この発明のマイクロストリップラインとケーブルとの接続方法の第３の態様は、前記スルーホールの断面形状が、円形または楕円形であることを特徴とするマイクロストリップラインとケーブルとの接続方法である。
【００３５】
このような方法により、前記マイクロストリップラインと前記中心導体との接続加工のばらつきを低減することができる。
【００３６】
この発明のマイクロストリップラインとケーブルとの接続方法の第４の態様は、前記スルーホールの断面の長軸が、前記中心導体の中心軸と略同一方向であることを特徴とするマイクロストリップラインとケーブルとの接続方法である。
【００３７】
このような方法により、前記中心導体が前記スルーホールに挿入される長さを長くすることができ、小型アンテナの高周波特性に悪影響を与えないようにすることができる。
【００３８】
この発明のマイクロストリップラインとケーブルとの接続方法の第５の態様は、前記スルーホールの断面形状が、短径と長径との比が略１：３の楕円形であることを特徴とするマイクロストリップラインとケーブルとの接続方法である。
【００３９】
このような方法により、前記マイクロストリップラインと前記中心導体との接続加工のばらつきをさらに低減することができる。
【００４０】
この発明のマイクロストリップラインとケーブルとの接続方法の第６の態様は、前記スルーホールの断面の直径が、前記中心導体の直径よりも大きいことを特徴とするマイクロストリップラインとケーブルとの接続方法である。
【００４１】
このような方法により、前記マイクロストリップラインと前記中心導体との接続加工が容易に行えるようになる。
【００４２】
この発明のマイクロストリップラインとケーブルとの接続方法の第７の態様は、前記中心導体が、前記スルーホールの壁面まで挿入されて半田付けされる
ことを特徴とするマイクロストリップラインとケーブルとの接続方法である。
【００４３】
このような方法により、前記マイクロストリップラインと前記中心導体との接続状態のばらつきを低減することができる。
【００４４】
この発明のマイクロストリップラインとケーブルとの接続方法の第８の態様は、高周波信号が導通されるマイクロストリップラインと同軸ケーブルとの接続方法に適用されることを特徴とするマイクロストリップラインとケーブルとの接続方法である。
【００４５】
このような方法により、小型アンテナに限らず、高周波信号が導通される回路機器のマイクロストリップラインと同軸ケーブルとの接続加工を高周波特性に悪影響を与えないように行うことができる。
【発明の効果】
【００４６】
以上説明したように、本発明の小型アンテナによれば、特にコンパクトなアンテナ収納ボックス内に配置して、アンテナ近傍において同軸ケ−ブルを回路基板に対して垂直な成分を有する方向に曲げる場合に対してもある程度以上の曲げ半径を確保することができ、その結果、同軸ケ−ブルの曲がり部におけるＳ／Ｎ比の劣化を抑えることができる。
【００４７】
また、本発明のマイクロストリップラインとケーブルとの接続方法によれば、小型アンテナの高周波特性に悪影響を与えることなく、接続状態のばらつきが少ない確実な接続加工を行うことができる。
【発明を実施するための最良の形態】
【００４８】
以下、本発明の小型アンテナの最良の実施形態について、図面を参照して詳細に説明する。
図１は、本発明の実施形態に係る小型アンテナである平面アンテナを側面から見た構造を示す断面図である。
【００４９】
図１に示すように、本実施形態に係る小型アンテナ（平面アンテナ）は、回路基板１０と、回路基板１０の表面上に薄膜として形成された接地導体１１と、接地導体１１の表面上に積層された誘電体１２と、誘電体１２の表面上に形成された放射素子１３と、誘電体１２を垂直に貫通するスルーホール１４と、スルーホール１４の直下の回路基板１０の一部に形成されたマイクロストリップライン１５と、マイクロストリップライン１５の一部を貫通するスルーホール１６と、放射素子１３とマイクロストリップライン１５とを電気的に接続する給電ピン１７と、回路基板１０の接地導体１８と後述する同軸ケーブル２０の外導体２２とを電気的に接続するための台座即ち取付金具３１とを備えて構成される。接地導体１８は接地導体１１と電気的に接続されている。また、同軸ケ−ブル２０の中心導体２１の先端は回路基板１０に設けられたスル−ホ−ル内に挿入され、半田部１９にてマイクロストリップライン１５と接続される。
【００５０】
この小型アンテナ（平面アンテナ）は、前述のＥＴＣ用アンテナ、ＧＰＳ用アンテナ、またはＶＩＣＳ用アンテナであってもよい。また、コンパクトなアンテナ収容ボックス内に併設されるＥＴＣ用アンテナ、ＧＰＳ用アンテナ、またはＶＩＣＳ用アンテナであってもよい。
【００５１】
誘電体１２には、セラミックス等から成る誘電体基板を使用することができる。一般的にはこの誘電体１２の誘電率が高い程、アンテナ単体を小型化することができる。
【００５２】
取付金具３１は、放射素子１３の表面が水平にされた図１に示す状態では、同軸ケーブル２０の延長方向が斜め下方となるように同軸ケーブル２０の外導体２２を保持する。
【００５３】
取付金具３１が、同軸ケーブル２０の外導体２２を保持する部分は、外導体２２を釣り下げるハンガー構造であってもよいし、外導体２２を通した後で全体をかしめることができるリング構造であってもよい。また、外導体２２との半田付けが可能な単なる平板であってもよい。
【００５４】
取付金具３１を、このような構成としたので、収納ボックスの内壁等の近傍にて回路基板に対して垂直な方向或いは垂直な方向を成分として含む方向に同軸ケ−ブル２０を曲げる際に曲げ角度を小さくすることができ、その結果同軸ケ−ブル２０に加えられる曲げ半径を図３の場合に比較して大きくすることができる。これにより、アンテナ収納ボックス内での同軸ケーブル２０の配設結果が、アンテナ特性にまで影響を与えることを抑止することができる。
【００５５】
なお、マイクロストリップライン１５のスルーホール１６に挿入される中心導体２１は、挿入後にマイクロストリップライン１５と半田付けすることも可能である。
【００５６】
図２は、マイクロストリップのスルーホールの断面形状を示す説明図である。スル−ホ−ルは一般的には円形の貫通孔であるが、必ずしもこれに限定されるものではない。
【００５７】
図３のように中心導体１２１を曲げてマイクロストリップライン１１５に接触させ、接触部を半田付けする方法では、曲がりを与えるという作業が必要になるばかりでなく、曲がりが不適切な場合には中心導体１２１とマイクロストリップライン１１５の接続部に応力が残る場合がある。
これに対して本発明では中心導体２１をまっすぐな状態にしたまま、マイクロストリップライン１５と接続することで、接続部に中心導体２１からの応力が加えられず、且つ半田との接触面積を十分に確保することができる。
【００５８】
尚、取付金具３１等を使用して同軸ケ−ブルの外導体２２と回路基板の接地導体１８を電気的に接続すると、この間にわずかではあるがインピ−ダンスが生じる。従って、マイクロストリップライン１５の特性インピ−ダンスを同軸ケ−ブルの特性インピ−ダンスと等しい値に設定すると、わずかながらインピ−ダンス不整合が生じる。
よって、マイクロストリップライン１５は外導体２２と接地導体１８間のインピ−ダンスを考慮して設計することが望ましい。
【００５９】
次に、本発明のマイクロストリップラインとケーブルとの接続方法について、図面を参照して以下に詳細に説明する。
本発明のマイクロストリップラインとケーブルとの接続方法は、小型アンテナの高周波特性に悪影響を与えない接続加工条件を規定した好適な接続方法を提供するものである。
【００６０】
図４は、マイクロストリップライン１５上に形成されたスルーホール１６に、同軸ケーブル２０の中心導体２１を挿入し、これを半田付けする方法を説明する図である。スルーホール１６に収納された中心導体２１の先端部分は、半田部１９でスルーホール１６の内部に堅固に半田付けされている。該半田付けには、スルーホール１６の表面の穴を確実にふさぐに十分な量の半田が使用される。
【００６１】
このように、スルーホール１６の内部に中心導体２１の先端部分を挿入し、十分な量の半田部１９で半田付けすることにより、マイクロストリップライン１５と中心導体２１との接続を確実に行うことができる。
【００６２】
本発明のマイクロストリップラインとケーブルとの接続方法では、マイクロストリップライン１５と中心導体２１との接続をより確実に行うために、図４に示すように、スルーホール１６の断面の直径を、中心導体２１の直径よりも大きくし、中心導体２１の先端部分をスルーホール１６に挿入しやすくしている。これによって、半田付けの作業性が向上する。
【００６３】
また、中心導体２１の先端部分をスルーホール１６の壁面まで挿入した状態で半田付けするのが好ましい。これによって、マイクロストリップライン１５と中心導体２１との接触面積を大きくすることができるだけでなく、マイクロストリップライン１５と中心導体２１との接続状態のばらつきを低減することができる。
【００６４】
前記半田付けにおいて、スルーホール１６の表面の穴をふさぐように半田付けした場合と、前記穴をふさがないで半田付けした場合とで、アンテナ特性に与える影響がどのように異なるかを図５を用いて説明する。
【００６５】
図５は、前記半田付けによってスルーホール１６の表面の穴をふさいだ場合とふさがない場合とのそれぞれのアンテナ反射係数を比較したものである。同図では、縦軸の反射係数を、前記穴をふさいだ場合の反射係数の値からの変化量で示している。
【００６６】
図５より、前記半田付けによってスルーホール１６の表面の穴をふさいだ場合と比較して、前記穴をふさがない場合には反射係数が増大している。すなわち、半田付けによって前記穴をふさがない場合には、反射損失が増え、アンテナ利得が低下してしまうという結果になる。このような問題を解消するために、本発明のマイクロストリップラインとケーブルとの接続方法では、スルーホール１６の表面の穴をふさぐように半田付けを行わせるものとしている。
【００６７】
つぎに、半田付けに使用される半田の量と前記反射係数との関係を、図６を用いて説明する。同図において、横軸は半田の量をスルーホール１６の空洞部の体積に対する割合（パーセント）で表しており、縦軸はアンテナ反射係数を表している。
【００６８】
図６より、スルーホール１６の空洞部の体積に比べて半田付けに使用する半田の量が少ないと、反射係数が大きくなってしまうことが確認できる。また、半田の量を増やすにつれて反射係数は低下していくが、１５０vol％以上では、反射係数がほとんど変化しなくなっている。
【００６９】
図６に示すような半田の量と反射係数との関係に基づいて、本発明のマイクロストリップラインとケーブルとの接続方法では、半田の量をスルーホール１６の空洞部の体積に対し１５０vol％以上とするものとしている。このように半田部３１の半田量を規定することにより、安定した半田付けが行えるだけでなく、半田付けに使用される半田量の過不足を無くすことができる。
【００７０】
つぎに、マイクロストリップライン１５上に形成されたスルーホール１６の断面の好ましい形状について、図面を用いて以下で説明する。
【００７１】
同軸ケーブル２０の中心導体２１との接続加工のばらつきをできるだけ低減するために、スルーホール１６の断面形状を円形または楕円形とするのが好ましく、より好ましくは円形よりも楕円形とするのがよい。スルーホール１６の断面を楕円形状とすることで、高周波特性に好ましい効果を与えることができる。その一例として、アンテナの接続接続に適用された場合には、アンテナの帯域幅が広くなるという効果が得られる。
【００７２】
スルーホール１６の断面形状がアンテナのＶＳＷＲ特性に与える効果を、図７を用いて説明する。同図は、スルーホール１６の断面形状とＶＳＷＲの帯域幅との関係を示す図であり、縦軸はＶＳＷＲが２以下となる帯域幅を比帯域（％）で表したものである。
【００７３】
図７より、スルーホール１６を設けない場合（同図の「穴なし」のケース）に比べて、断面が円形（同図の「丸穴」のケース）または楕円形（同図の「長穴」のケース）のスルーホール１６を設けた方が比帯域が大きくなっている。よって、マイクロストリップライン１５上に断面が円形または楕円形のスルーホール１６を形成し、該スルーホールに同軸ケーブル２０の中心導体２１を半田付けすることで、アンテナ特性を広帯域化できるといったすぐれた効果が得られる。
【００７４】
スルーホールの断面形状を楕円形とする場合は、該楕円形の長軸を中心導体２１の中心軸と略同一方向とするのがよい。これにより、中心導体２１がスルーホール１６の内部に挿入される長さを長くすることができ、アンテナの高周波特性に悪影響を与えないようにすることができる。
【００７５】
また図７より、スルーホール１６の断面形状を、短径と長径との比が略１：３の楕円形とするのが好ましい。スルーホール１６の断面形状をこのような楕円形とすることにより、マイクロストリップライン１５と同軸ケーブル２０の中心導体２１との接続加工のばらつきをさらに低減することができる。
【００７６】
上記で説明した本発明のマイクロストリップラインとケーブルとの接続方法は、小型アンテナに限らず、高周波信号が導通されるマイクロストリップラインと同軸ケーブルとの接続方法に適用することができる。
【図面の簡単な説明】
【００７７】
【図１】本発明の実施形態に係る小型アンテナである平面アンテナを側面から見た構造を示す断面図である。
【図２】マイクロストリップのスルーホールの断面形状を示す説明図である。
【図３】従来の小型アンテナである平面アンテナを側面から見た構造を示す断面図である。
【図４】図４は、マイクロストリップライン１５上に形成されたスルーホール１６に、同軸ケーブル２０の中心導体２１を半田付けする方法を説明する図である。
【図５】図５は、半田付けによってスルーホール１６の表面の穴をふさいだ場合とふさがない場合とのそれぞれのアンテナ反射係数の比較図である。
【図６】図６は、半田の量と反射係数との関係を説明する図である。
【図７】図７は、スルーホール１６の断面形状とＶＳＷＲの帯域幅との関係を説明する図である。
【符号の説明】
【００７８】
１０、１１０  回路基板
１１、１１１  接地導体
１２、１１２  誘電体
１３、１１３  放射素子
１４、１１４  スルーホール（誘電体側）
１５、１１５  マイクロストリップライン
１６  スルーホール（回路基板側）
１７、１１７  給電ピン
１８、１１８  接地導体
１９、１１９  半田部
２０、１２０  同軸ケーブル
２１、１２１  中心導体
２２、１２２  外導体
２３、１２３  被覆
３０、１３０  収納ボックスの内壁
３１  取付金具
１２９  半田部
【図１】
2006311469.tif 000003
【図２】
2006311469.tif 000004
【図３】
2006311469.tif 000005
【図４】
2006311469.tif 000006
【図５】
2006311469.tif 000007
【図６】
2006311469.tif 000008
【図７】
2006311469.tif 000009